Podtech/llm-jp-corpus-v4-ja_patent huggingface dataset:
(57)【要約】      （修正有）【課題】酸素水及び健康器具類等の効果を確認でき、身体機能の測定を数値化できる装置を装着し、酸素水等の摂取の効果を客観的に評価できる身体機能測定装置を提供する。【解決手段】身体機能測定器において、はかりの取手部分２を握り締めると測定数値表示パネル３の数値が表示され記録される。計測者が測定する機能を最良にするため加重用グリップ４をはかりに装着し荷重が容易にできるようにした。また、はかりの裏面に荷重の強度を調整する調整バーを装着して、身体からの距離を調節し、測定をより容易にした。【選択図】図１
0003177371.tif 000002
【実用新案登録請求の範囲】
【請求項１】
スケール、はかり等に加重するための取手を装着し、かつ加重の加減が容易に調整できるよう裏側に調整バーを装着した身体機能測定器。
【考案の詳細な説明】
【技術分野】
【０００１】  本考案は、酸素水及び健康器具類等の効果を確認する身体機能測定装置器に関するものである。
【背景技術】
【０００２】  従来、器具を使用せず、波動の高い鉱石を身に付けたり、健康効果の高い水やサプリメント等を摂取するとボディバランスが上昇し運動機能が向上するなど、その製品の効果を確認するために図ａのような“バランステスト”という方法にとっておりました。酸素水の摂取前及び健康器具等の身体への装着前と比較して、摂取及び装着後はよろけにくく、より強い荷重に耐えられるようになることを器具を使用せずに効果を確認していた。
【考案の開示】
【考案が解決しようとする課題】
【０００３】  サプリメント、健康飲料、健康器具類等の効果を体感させるために行われているバランステストは、被験者個人の感覚で判断するしかないので、被験者が掛ける力を加減しているのではないかとの疑念を持たれ易い。そこでバランステストを数値化できる装置を考案し、使用前後の効果を客観的に評価できるようにするものである。
【課題を解決するための手段】
【０００４】  本案は、現存するスケール、はかり等に加重するための取手を装着し、かつ加重の加減が容易に調整できるよう裏側には調整バーを装着した。
【考案の効果】
【０００５】  図１のように現存するスケール、はかり等に加重するための取手を装着したことにより誰にでも容易に加重がかけられバランステストを数値化できるようになる。また、計測者の体重が軽く加重量が弱いと被験者のバランスが崩れず数値化できなかったが、図２の調整バーを装着したことで、はかりを被験者の身体から離すことにより、梃子の原理の応用でより軽い加重量でもバランスが崩れテストが容易になる。
【考案を実施するための最良の形態】
【０００６】  以下、本考案を実施するための形態について図面を参照しながら詳細に説明する。
図１は、本考案の実施の形態における身体機能測定器で、１のはかりの２の取手部分を握り締めると３の測定数値表示パネルの数値が表示され記録される。計測者が測定する機能を最良にするため４の加重用グリップをはかり本体に装着し荷重が容易にできるようにした。また、はかりの裏面に荷重の強度を調整する調整バーを装着して、身体からの距離を調節し、測定をより容易にした。
【実施例】
【０００７】  以下、添付図面に従って一実施例を説明する。１は計測器で計測者により加重された計測値を表示するはかり本体、２は被験者がはかりを支持する取手。被験者は、図ｂのように計測に際し両足を揃え、気を付けの状態で２の取手をぶら下げて支持してもらう。この状態で計測者は４の加重グリップを両手で握り直下に加重する。被験者が加重によりバランスを崩した時点で計測器の数値が自動的に止まり、３の測定数値表示パネルに数値が記録される。その後、酸素水の摂取あるいは健康器具等を装着し再度同様の状態で計測を行う。計測された前後の数値を比較、摂取あるいは装着の効果性を客観的に顕現する。計測する場合、４の加重用グリップが直下に押し込まれ梃子の原理の応用でより軽い加重量でもバランスが崩れテストが容易になるよう、１の計測機本体の裏面に６の着脱式調整バーを５のジョイント部に装着し、被験者の身体からの距離を調節するため調整バーを伸縮し８の止めネジで固定する。７のパットは身体への衝撃を緩衝するものである。
【産業上の利用可能性】
【０００８】  本案は、今まで難しかった酸素水、サプリメント、健康飲料、健康器具類等の効果が身体機能測定器を使用することにより数値化することで、酸素水等の購買者への訴求力が格段に向上し販売が容易になる。
【図面の簡単な説明】
【０００９】
【図１】本案の身体機能測定器の正面図である。
【図２】本身体機能測定器の調整バーを装着した側面図である。
【符号の説明】
【００１０】  １  はかり
２  被験者が持つ取手
３  測定数値表示パネル
４  加重用グリップ
５  ジョイント
６  調整バー
７  パット
８  止めネジ
【図１】
0003177371.tif 000003
【図２】
0003177371.tif 000004
(57)【要約】      （修正有）【課題】キャリーバックにおいて、キャスター車輪を大口径化することで、平地での多少の凹凸への対応及び階段の昇降が容易になるキャリーバックを提供する。【解決手段】キャリーバックのキャスターを直径４０センチメートル前後の車輪に変え、キャリーバック両側面に付ける。さらに、車輪側にドラム式ブレーキを設け、牽引側に付けた引き手にブレーキに連動するワイヤーを引く装置を付ける事で、階段等降りるときに急激に下がることを防ぐ。【選択図】図１
0003177375.tif 000002
【実用新案登録請求の範囲】
【請求項１】
キャリーバックのキャスターを直径４０センチメートル前後の車輪にする事で階段等の段差の上がり降りを楽にし、通常の運搬の振動、牽引する力も軽減し安全の為にブレーキを内蔵したキャリーバック。
【考案の詳細な説明】
【技術分野】
【０００１】  本実案は、キャリーバックのキャスターを直径４０センチメートル前後の車輪に変えキャリーバック両側面に付け車輪側にドラム式ブレーキを設け、牽引側に付けた引き手にブレーキに連動するワイヤーを引く装置を付ける事で、階段等降りるときに急激に下がることが防げる。
【背景技術】
【０００２】  キャリーバックのキャスターを直径４０センチメートル前後の大きさにする事で平地での多少の凸凹にもスムーズに移動でき階段では段鼻が車輪丈中ごろにあたり、車輪自体は踏み面上部にある為、少ない力で階段等を上がることが出来、安全のためブレーキを設けた。
【図面の簡単な説明】
【０００３】
【図１】  側面図
【図２】  正面図
【図３】  裏面図
【図４】  車輪部断面図
【図５】  車輪内部図
【図１】
0003177375.tif 000003
【図２】
0003177375.tif 000004
【図３】
0003177375.tif 000005
【図４】
0003177375.tif 000006
【図５】
0003177375.tif 000007
(57)【要約】      （修正有）【課題】カッターシャツとネクタイを着用しているように見えるドレスダウンシャツを提供する。【解決手段】ネクタイフォルムが見えるＶゾーンフォルムを形成し、ベースシャツには伸縮性、吸水性に優れた素材を使用する。【選択図】図１
0003177350.tif 000002
【実用新案登録請求の範囲】
【請求項１】
襟の縁取りに陰影を付けた、（１）カラーシャドーに、ネクタイの縁取りに陰影を付けた、（２）ネクタイシャドーを取り付け（３）ネクタイフォルムとし、伸縮性、吸水性に優れた（４）ベースシャツに取り付け、ジャケットや作業着ブルゾン等の上着Ｖゾーンから見える部分の（５）Ｖゾーンフォルムにおいて、フォーマル機能と伸縮性、吸水性を具備させた、以上のように構成された（６）ドレスダウンシャツ。
【考案の詳細な説明】
【技術分野】
【０００１】  本案はカッターシャツとネクタイのフォーマル機能と、Ｔシャツ等の伸縮性、吸水性を具備したドレスダウンシャツの簡易、融合製造技術に関するものである。
【背景技術】
【０００２】従来、ネクタイ着用等、フォーマル性を有する時はカッターシャツと合わせて着用する事が一般的で、簡易に融合させる製造技術が無かった。
【考案の概要】
【考案が解決しようとする課題】
【０００３】本案では、ネクタイとカッターシャツの持つフォーマル機能と、Ｔシャツ等の持つ伸縮性、吸水性を具備したシャツを製造する事を課題とする。
【課題を解決するための手段】
【０００４】その為、本案ではジャケットや作業服等の上着Ｖゾーンに着眼し、（３）ネクタイフォルムが見える（５）Ｖゾーンフォルムを形成する事でフォーマル性をダウンさせ、（６）ドレスダウンシャツの製造を簡易にした。
【考案の効果】
【０００５】この考案により、ネクタイが曲がる等、フォルムの不安定性排除、カッターシャツとネクタイの着脱性向上、（４）ベースシャツでは素材に吸水性、伸縮性の向上等、利便性が向上し、製造ではネクタイとカッターシャツを個別に製造するロスが低減され、Ｖゾーンフォルムの形成が簡易となる効果が得られる。
【図面の簡単な説明】
【０００６】襟の縁取りに陰影を付け、フォーマル機能を持たせた（１）カラーシャドーに、ネクタイの縁取りに陰影を付け、フォーマル機能を持たせた（２）ネクタイシャドーを取り付け、カッターシャツとネクタイを着用している様に見える（３）ネクタイフォルムを作り、伸縮、吸水性に優れた（４）ベースシャツに、プリント、ジャガード、刺繍等で取り付けた、以上のように構成された（６）ドレスダウンシャツ。
【図１】平面図
【考案を実施するための形態】
【０００７】カッターシャツとネクタイの持つフォーマル機能を、簡易に（３）ネクタイフォルムとして、伸縮、吸水性に優れた（４）ベースシャツに取り付ける。
【実施例】
【０００８】プリント加工、ジャガード織、刺繍、アップリケ等で（４）ベースシャツに簡易に取り付ける事で、カッターシャツとネクタイの製造及び、着用時の手間の低減と成る。
【産業上の利用可能性】
【０００９】（６）ドレスダウンシャツのコンセプトは仕事着、普段着の隙間にあるので、活用範囲が広く、利用分野の可能性も大きい。
【符号の説明】
【００１０】（１）カラーシャドー（２）ネクタイシャドー（３）ネクタイフォルム（４）ベースシャツ（５）Ｖゾーンフォルム（６）ドレスダウンシャツ
【図１】
0003177350.tif 000003
(57)【要約】【課題】  印刷に加えて商材の印刷に合わせて、切り抜き加工をして他の印刷部分より目立たせること。【解決手段】宣材の印刷に沿って切り抜き加工した宣材用パーツ、宣材用パーツに干渉している部分を切り落としたパーツ、他の部分は従来の形にして目立つようにし、なを且つ宣材パーツを接着等によって所定の位置に固定しておく。【選択図】図１
0003177344.tif 000002
【実用新案登録請求の範囲】
【請求項１】
商材の形に切り抜いた異形パーツは接着剤で固定し、異形パーツに干渉している干渉パーツ、普通のパーツは固定せず、計３種類のパーツの組み合わせによるジグソーパズル。
【考案の詳細な説明】
【考案の概要】
【考案が解決しようとする課題】
【００１】宣伝用の商材は、印刷に加えて商材の印刷に合わせて、切り抜き加工をして他の印刷部分より目立たせ、所定の位置に固定する。
【課題を解決するための手段】
【００２】商材の印刷に沿って切り抜き加工した宣材用パーツ、宣材用パーツに干渉している部分を切り落としたパーツ、他の部分は従来の形のパーツにして商材の印刷部分を目立つようにし、且つ宣材用パーツを接着等によって所定の位置に固定しておく。
【考案の効果】
【００３】商材を際立たたせて、宣材としての効果が期待できる。ることができます。
【考案を実施するための形態】
【００４】
【図面の簡単な説明】
【００５】
【図１】  ボールを商材例にした平面図です。
【符号の説明】
【００７】１、普通の形のピース                                ａ、干渉ピース
２、普通の形のピース                                ｂ、干渉ピース
３、普通の形のピース                                ｃ、干渉ピース
４、普通の形のピース                                ｄ、干渉ピース
５、普通の形のピース                                ｆ、干渉ピース
６、普通の形のピース                                ｇ、干渉ピース
７、普通の形のピース                                ｈ、干渉ピース
８、普通の形のピース                                ｋ、干渉ピース
９、普通の形のピース                                ｊ、干渉ピース
１０、普通の形のピース                              ｉ、干渉ピース
１１、普通の形のピース                              ｌ、干渉ピース
１２、普通の形のピース                              ｍ、干渉ピース
１３、普通の形のピース
１４、普通の形のピース
１５、普通の形のピース
１６、普通の形のピース
１７、普通の形のピース
１８、普通の形のピース
１９、普通の形のピース
２０、普通の形のピース
Ｓ、宣材例としてのボウルの形
Ｇ、縁
【図１】
0003177344.tif 000003
(57)【要約】      （修正有）【課題】金具やアジャスターを使わずにハンドストラップとして使用でき、かつ複数組み合わせる事によりショルダーストラップとして使用することもできるハンドストラップを提供する。【解決手段】一端に５つ以上の穴５を有し、他端に１つ以上の穴を有するストラップ本体１と、前記一端から細く延在する先端部３により第１のハンドストラップを形成する。また、両端にそれぞれ４つ以上の穴４を有するストラップ本体２と、前記両端からそれぞれ細く延在する一対の先端部６により第２のハンドストラップを形成する。ストラップの先端部を連結穴に交互に通すという連結方法により単体でもハンドストラップとして使用する事ができ、さらに第１、第２のストラップを連結することによって、ショルダーストラップとして使用することも出来る。【選択図】図２
0003177346.tif 000002
【実用新案登録請求の範囲】
【請求項１】
先端が細くのび、その根元に５つ以上の穴があり、その反対側に同じ穴が１つ以上開いている形状のハンドストラップ。
【請求項２】
先端が細くのび、その根元に４つ以上の穴があり、その反対側も同じ形状のハンドストラップ。
【請求項３】
上記のストラップを連結したショルダーストラップ。
【考案の詳細な説明】
【技術分野】
【０００１】本考案は金具やアジャスターを使わずに単品でハンドストラップ、連結することでショルダーストラップとして使用することができるようにしたものである。
【背景技術】
【０００２】従来は分割する事ができ、それ１つ１つがハンドストラップとして使用することが可能なものがなかった。
【考案の概要】
【考案が解決しようとする課題】
【０００３】組合わせによって１本のショルダーストラップとしても３つのハンドストラップとしても使用する事ができる。
【課題を解決するための手段】
【０００４】ストラップの先端部を連結穴に交互に通すという連結方法により単体でもハンドストラップとして使用する事ができるようにした。
【考案の効果】
【０００５】本体Ａと本体Ａ｀、本体Ｂはそれぞれ独立したハンドストラップとして使用でき、本体Ａと本体Ｂと本体Ａ｀を連結する事によってショルダーストラップとして使用する事ができる。
【図面の簡単な説明】
【０００６】
【図１】本考案の平面図
【図２】ショルダーストラップとしての使用図
【図３】ハンドストラップとしての使用図
【符号の説明】
【０００７】１  本体Ａ
２  本体Ｂ
３  先端部Ａ
４  先端部Ｂ
５  連結用穴Ａ
６  連結用穴Ｂ
７  連結用穴Ｃ
【図１】
0003177346.tif 000003
【図２】
0003177346.tif 000004
【図３】
0003177346.tif 000005
【手続補正書】
【提出日】平成24年5月14日(2012.5.14)
【手続補正２】
【補正対象書類名】実用新案登録請求の範囲
【補正対象項目名】全文
【補正方法】変更
【補正の内容】
【実用新案登録請求の範囲】
【請求項１】
一端に５つ以上の穴を有し、他端に１つ以上の穴を有するストラップ本体と、前記一端から細く延在する先端部より形成されたハンドストラップ。
【請求項２】
両端にそれぞれ４つ以上の穴を有するストラップ本体と、前記両端からそれぞれ細く延在する一対の先端部より形成されたハンドストラップ。
【請求項３】
請求項２記載のハンドストラップの各先端部に、それぞれ請求項１記載のハンドストラップの他端の穴を連結して形成されたショルダーストラップ。
(57)【要約】      （修正有）【課題】手の届かない背面や指圧の容易でない部位も刺激可能にした指圧器を提供する。【解決手段】指圧器は、それぞれの指圧のツボに対応出来る各種の指圧突起を装着したＡ・Ｂ二本の指圧ロット１、３と、この二本のロットを背筋ローラー５や、指圧ローラー使用時のローラーの車軸として転用出来るようにする。これにより、その車軸の組立ては、二本の指圧ロットＡ・ロットＢを唯差し込むだけの簡単な構成となる。【選択図】図−１
0003177345.tif 000002
【実用新案登録請求の範囲】
【請求項１】
Ａ・Ｂ２本の指圧ロット▲１▼▲３▼は指圧のツボとして全身に分布するそれぞれの指圧のツボに対応してロットのグリップ▲２▼▲４▼の部分と一体で作成される指圧突起をステンレスパイプに装着している２本の指圧ロットＡ・Ｂは本来の指でする指圧部や指の届きづらい部分の指圧にも使用される。又２本の指圧ロットＡ・Ｂは異径のステンレスパイプでＡパイプ内にＢパイプが嵌合よく差し込まれて、背筋ローラーや指圧ローラー使用時の車軸として転用出来るように作成されている指圧ロットとして使用する時はそれぞれＡキャップ▲７▼とＢキャップ▲８▼を嵌めて各指圧突起を使って指圧するのである。このように指圧ロット２本と背筋ローラーと指圧ローラーの４点からなる少ない部品で広い範囲の指圧を可能にした家庭用指圧の普及を目指したコンパクトな指圧器である。
【考案の詳細な説明】
【考案の概要】
【考案の解決しようとする課題】
【０００１】指圧のツボは全身に分布しており、この中には手の届かない部分や指圧の容易でない部位も多く存在している。従来迄は、これら手の届かない背面など迄家族の手を借りてでも簡便に指圧ができるようなコンパクトな指圧器はなかった。
【課題を解決するための手段】
【０００２】指圧Ａロット▲１▼及Ｂロット▲３▼の本体は異径のステンレスパイプでＢロット▲３▼のパイプはＡロット▲１▼のパイプに嵌合よく差し込まれて背筋ローラー▲５▼や指圧ローラー▲６▼の使用時には車軸として転用できるようになっている。しかも第１図の如く組立てには背筋ローラー▲５▼を中心にして左右からこの指圧Ａ・Ｂロットを差し込むだけで組立てが完了するという簡便さを持っている。
背筋ローラーは背面なので家族の手を借り、両手でローラーを使い背筋の矯正をする。
指圧ローラー▲６▼は第２図の如く指圧Ａロット▲１▼に取り付け、ローラーが抜けないようにＡキャップを嵌め片手でも使用できるようになっている。Ａキャップ▲７▼にも大丸指圧突起や、ロットの長手軸に直角方向の指圧もできるように、小丸突起を装着している。指圧Ａロットと指圧Ｂロットには、それぞれの指圧のツボに対応できる各種の指圧突起をロットのグリップ▲２▼▲４▼と共に一体で作成されステンレスパイプに装着されている。ローラーを使用しない時の指圧Ｂロットは、第３図に示す如く、キャップＢ▲８▼を嵌めて、今迄手の届きづらかった部位の指圧をそれぞれの突起を活かして指圧するのである。
【考案の効果】
【０００３】全身に分布する指圧のツボに対応する各種の指圧突起を装着している二本の指圧Ａ・Ｂロットにより、従来手の届きにくかった部位も指圧可能になり、又背面のため手の届かなかった背筋の矯正や背胸部なども背筋ローラーや指圧ローラーで家族の手を借りて指圧可能にした。又指圧Ａ・Ｂロットを車軸に転用したり、而かも唯ロットを差し込むだけのワンタッチでローラーの組立てが完了するという簡便さは、指圧時の楽しみになる家庭用のコンパクトな指圧器の開発である。
【図面の簡単な説明】
【０００４】
【図−１】図−１は背筋ローラー▲５▼を使用時の組立て断面図を示す
【図−２】図−２は指圧ローラー▲６▼を片手で使用する組立断面図である
【図−３】図−３はローラーを使用しない時の指圧ＢロットのキャップＢを嵌めて使用する組立て断面図である。
【符号の説明】
【０００５】▲１▼指圧Ａロット
▲２▼Ａロットグリップ
▲３▼指圧Ｂロット
▲４▼Ｂロットグリップ
▲５▼背筋ローラー
▲６▼指圧ローラー
▲７▼Ａキャップ
▲８▼Ｂキャップ
【図−１】
0003177345.tif 000003
【図−２】
0003177345.tif 000004
【図−３】
0003177345.tif 000005
【手続補正書】
【提出日】平成24年5月17日(2012.5.17)
【手続補正１】
【補正対象書類名】実用新案登録請求の範囲
【補正対象項目名】全文
【補正方法】変更
【補正の内容】
【実用新案登録請求の範囲】
【請求項１】
２本の指圧ロットＡ、Ｂは所要の長さを持ったステンレスパイプを使用し、Ａパイプの内径にＢパイプの外径が差し込まれて隙間なく嵌合するようになっている。これは指圧ロットが本来の指圧目的以外に背筋ローラーや指圧ローラー使用時の車軸として兼用可能に作製されているからである。指圧ロットのグリップは、指圧時のロットを握り易くすると共に、各ローラー使用時の車軸としてローラーを中心に左右から車軸を差し込んだ時に車軸のストッパーとしての役目を果たしているのである。
指圧ロットとしての２本のＡ、Ｂロットには、それぞれＡ、Ｂキャップが嵌められて、各種の指圧のツボに対応する指圧突起が両端及中間部にもロットの長手軸に直角方向の指圧突起も装着されていて、指圧の範囲を広くしているのである。
背筋ローラーは背骨の矯正を目的に適正な溝を持った背筋ローラーで背面なので家族の手を借りて両手で背筋ローラーを掛ける。指圧ローラーは、ローラーの円周に布テープに指圧突起の各種を取付けて、布テープの両端にマジックテープが取付けられているので、各種の指圧突起を取替えて円周に取付けられるようになっている。本考案は２本の指圧ロットＡ、Ｂと背筋ローラーと指圧ローラー主要部品４点からなる少ない部品で多くの指圧範囲に対応出来る特徴を持った家庭指圧の普及を目指したコンパクトな指圧器である。
(57)【要約】      （修正有）【課題】タクシーメーターに取り付けることにより、サーバーとの必要な情報の共有を可能として、空車等の識別、料金精算の確認等をサーバーで把握することができるようにし、配車の効率化を図ると同時に従来のコールセンターを不要とし、また、タクシーにおける業務日報等の簡略化を行うことができる情報伝送用の操作機器を提供する。【解決手段】タクシーメーターＤに通信機能を持たせるため、押しボタン式等の操作ボタンを持たせた操作機器Ｂを取り付けた通信機器をタクシーメーターに埋め込み、会社等のサーバーと有線又は無線で連結することでタクシーメーターの情報が、従来行なっていた操作で、タクシーが所属する会社に伝達する事を可能とした。【選択図】図２
0003177352.tif 000002
【実用新案登録請求の範囲】
【請求項１】
既存のタクシーメーターに貼り付けることや埋め込むことが可能で、タッチパネル或いはボタン式の１つ以上の操作ボタンをタクシーメーターの空車等の操作ボタンと連動する事のできるタクシー用の操作機器。
【請求項２】
コンピュータ端末の外部装置と有線或いは無線において連結され、限定された情報を相互に共有する請求項１のタクシー用の操作機器。
【請求項３】
音声認識による操作が可能で、操作ボタンを押すことなく機器に指示を与えることのできる請求項１のタクシー用の操作機器。
【考案の詳細な説明】
【考案の詳細な説明】
【技術分野】
【０００１】本考案はタクシーメーターに取り付けられるタクシー用の操作機器に関するものである。
【背景技術】
【０００２】従来、タクシーにはタクシーメーターが取り付けられ、空車等の識別、料金の表示等がなされ、それによってタクシーの乗務員は料金の精算等の業務を行なってきた。
【考案が解決しようとする課題】
【０００３】本考案は、タクシーメーターに取り付けることにより、サーバーとの必要な情報の共有を可能として、空車等の識別、料金精算の確認等をサーバーで把握することができるようにし、配車の効率化を図ると同時に従来のコールセンターを不要とした。また、タクシーにおける業務日報等の簡略化を行うものである。
【課題が解決する為の手段】
【０００４】本考案においては、タクシーメーターにボタン式等の操作機器を取り付けることや埋め込むことでコンピュータ端末を介し情報をサーバーに送り、例えば空車等の識別をしてＧＰＳを用い配車を効率よく行うことができた。また料金精算の情報等をサーバーに送ることで、業務日報の自動作成を可能とすることができた。これらは、従来のタクシーメーターの操作を行うことだけで、コンピュータ端末と情報のやり取りを可能として、これらの情報をサーバーで管理することができた。
【０００５】本考案においての通信機器を例示するならば、タブレット端末、スマートフォンを含むコンピュータ端末である。
【０００６】本考案は、音声認識での操作も可能とするもので、タクシー運転業務においての安全運転にもつながるものである。
【図面の簡単な説明】
【０００７】
【図１】に示すのは、タクシーメーターに取り付け可能な操作機器（Ｂ）である。操作機器（Ｂ）には操作ボタン（Ａ）があり、マイク（Ｃ）によって音声の認識を行う。
【図２】に示すのは、タクシーメーター（Ｄ）で、その右部分に操作機器（Ｂ）を設置し、操作ボタン（Ａ）を操作することで、タクシーメーター（Ｃ）と連動した操作、例えば空車等の情報がコンピュータ端末を介して、サーバーに同時に送られるものである。
【符号の説明】
【０００８】Ａは、操作ボタンである。Ｂは、操作機器である。Ｃは、マイクである。Ｄは、タクシーメーターである。
【図１】
0003177352.tif 000003
【図２】
0003177352.tif 000004
(57)【要約】      （修正有）【課題】小さなポットでも手を汚さずに、花木の根を傷つけることなく草取り作業ができる草取り用具を提供する。【解決手段】板状のもので、先端部が丸く三角状の本体に、細長い持ち手部分を角度をもって取付けて、本体の斜辺にノコギリ状の窪みを付け刃部を形成する。【選択図】図１
0003177351.tif 000002
【実用新案登録請求の範囲】
【請求項１】
板状のもので、先端部が丸く三角状の本体に、細長い持ち手部分を角度をもって取付けて、本体の斜辺にノコギリ状の窪みを付け刃部を形成した草取り用具。
【考案の詳細な説明】
【技術分野】
【０００１】  本考案は、花木・樹木のポット栽培において、雑草取り等を行うための草取り用具に関するものである。
【背景技術】
【０００２】  従来、花木・樹木のポット栽培等の雑草取りは、素手もしくは金属製の鎌等により行っている。
【考案の概要】
【考案が解決しようとする課題】
【０００３】  このため、素手の場合は、雑草の根先まできれいに取れない事や手に汚れが付くこと、金属製の鎌等は、ビニール製のポットや花木の根を傷つける恐れがある事等が課題であった。
本考案は、それらの課題に対する解消を目的としてなされたもの。
【課題を解決するための手段】
【０００４】  この改善策として、本考案は、板状のもので、先端部が丸く三角状の本体に、細長い持ち手部分を角度をもって取付けて、本体の斜辺にノコギリ状の窪みを付け刃部を形成した草取り用具を提供するものである。
【考案の効果】
【０００５】  本考案は、従来の鎌と違い持ち手を握った時にノコギリ状の部分が手の近くにあるため、手で雑草を取るような感覚で小さなポットの中でも手を汚さず花木の根を傷つけることなく機能的にきれいに草取り作業ができる。
【図面の簡単な説明】
【０００６】
【図１】本考案の１実施例を示し、（ａ）は平面図、（ｂ）は底面図である。
【図２】本考案の１実施例を示し、（ａ）は正面図、（ｂ）は側面図である。
【考案を実施するための形態】
【０００７】  本考案の実施例は、図１と２に示すように、先端部１ａが丸く三角形状の板状の本体１を持ち、例えば一辺（斜辺）にノコギリ状の窪み（刃部）２をつけ、持ち手の部分３は細長く本体１と角度をつけてつけた。
持ち手部分に穴４をあけ、ひも５を通して収納や持ち運び易いようにした。
また、三角形状の本体１は、先端部１ａに丸みを持たせので、ビニール製ポットや花木の根を傷つける事無く本体１にあるノコギリ状の窪み２により雑草の根を引っせ掛け取り易くした。持ち手の部分３は本体１との間に角度を付けて手になじみ持ち易く、容易に雑草を取ることが出来るばようにした。持ち手部分３には小さな穴４を空け、ひも５を通し収納や持ち運び易いようにした。この草刈用具は、例えば合成樹脂や金属で一体成型したものである。
【符号の説明】
【０００８】  １  本体
１ａ  先端部、
２  ノコギリ状の窪み（刃部）
３  持ち手
４  穴
５  紐。
【図１】
0003177351.tif 000003
【図２】
0003177351.tif 000004
(57)【要約】      （修正有）【課題】口ゴムの付いた水切りネットをキッチン排水口に固定し、ヌメリや嫌な臭いの発生を最小限に止め、且つ、水切りネットの装着と廃棄を容易にする水切りネット固定器具を提供する。【解決手段】ステンレス、銅、プラスチック等で作られ、キッチン排水口のフランジ内に納まるリング状の上部と、朝顔状に外側に広がった下方部分からなる筒状の形状である。水切りネットの口ゴムを下方の朝顔状の部分にひっかけて固定する。【選択図】図１
0003177358.tif 000002
【実用新案登録請求の範囲】
【請求項１】
上下両端が開放された筒状の形状で、その上方には、排水口のフランジ面に固定する排水口固定部があり、また下方部分の朝顔状に外側に広かった口ゴム固定部が市販の口ゴム付き水切りネットの口ゴム部分が固定されるように作られたキッチン排水口のゴミ受け用水切りネット固定器具。
【請求項２】
ステンレス、銅、プラスチック等で作られた請求項１に記載した器具。
【考案の詳細な説明】
【技術分野】
【０００１】  本考案は、市販の袋状のゴミ受け用水切りネットを流し台排水口に固定する器具に関するものである。
【背景技術】
【０００２】  キッチン排水口のゴミ受けは、通常ステンレスや銅製のゴミ受け用カゴが使われ、それの補助としてカゴの内側に納まる使い捨てのポリ繊維や紙製の水切りネットが使用されるが、生ゴミが水切りカゴに残留することによるヌメリや嫌な臭いが発生し、頻繁に水切りカゴの洗浄をする必要があった。また、市販の水切りネット専用リングを使用した場合、水切りネットの口ゴムがリングから外れて水切りネットのネット部に巻き付いてしまい、ネットが十分に広がらないなどの問題があった。
【考案の概要】
【考案が解決しようとする課題】
【０００３】  解決しようとする課題は、生ゴミが水切りカゴに残留することによるヌメリや嫌な臭いの発生を最小限抑え、また使用する市販の口ゴム付き水切りネットが十分に広がって装着でき、また生ゴミが残留する水切りネットの廃棄がしやすいようにすること。
【課題を解決するための手段】
【０００４】  本考案は、既存のゴミ受け用カゴに代わり使用することができるステンレス、銅、プラスチック等で作られたキッチン排水口用水切りネット固定器具で、キッチン排水口のフランジ内に納まる上下両端が開放された筒状で、筒の内側に入れた口ゴム付き水切りネットの上部を外側に折り返して、筒の下方部分の朝顔状に外側に広がった部分に、水切りネットの口ゴムをひっかけ固定することで問題を解決している。
【考案の効果】
【０００５】  通常の水切りカゴは、生ゴミに接する表面積が広いのに対し、水切りネット固定器具は、生ゴミに直接接する部分が少ないため、ヌメリや嫌な臭いの発生が最小限にとどめることができ、洗浄もし易い。且つ、水切りネットが、朝顔状に外側に広がった部分で安定して固定されることによりネットが排水口内で広がり、しかも脱着も簡便なため、溜まった生ゴミの廃棄が行いやすい。
【図面の簡単な説明】
【０００６】
【図１】本考案のキッチン排水口のゴミ受け用水切りネット固定器具の図。
【図２】本考案のキッチン排水口のゴミ受け用水切りネット固定器具に口ゴム付き水切りネットを装着した場合の図
【図３】本考案のキッチン排水口のゴミ受け用水切りネット固定器具の一実施例を示す全体図。
【考案を実施するための形態】
【０００７】  キッチン排水口のゴミ受け用水切りネット固定器具の筒の中に水切りネットを配置し、その水切りネットの上部を外側に折り返し、下方の外側に広がった部分にその上端周縁の口ゴム部分の弾性で固定したあと、キッチン排水口のゴミ受け用カゴの代わりに取付け、その上部を、目皿又は流し菊割れフタがある場合には目皿又は流し菊割れフタで蓋をする。生ゴミが溜まったならば、目皿を外し、固定器具の取り出し用のつまみ又は取っ手で、排水口より取り出し、生ゴミが入った水切りネットを固定器具より外し捨てた後、新しい水切りネットと交換する。
【実施例】
【０００８】  以下、添付図面に従って実施例を説明します。図１は、水切りネット固定器具の全体図です。水切りネット固定器具は、排水口固定部１で排水口のフランジに固定される。また取り出しつまみ２は、生ゴミが溜まった際に、水切りネット固定器具を取り出すのに使用する。図２は、口ゴム付き水切りネットを装着した場合を示す。水切りネット６は、固定器具の筒に挿入後、水切りネット上部４を外側に折り返して、口ゴム５のゴムの弾性を利用して朝顔状に広がった口ゴム取付け部３で固定する。
【符号の説明】
【０００９】１  水切りネット固定器具の排水口固定部
２  水切りネット固定器具の取り出しつまみ
３  水切りネット固定器具の水切りネット口ゴム固定部
４  市販の水切りネットの折り返し部分
５  市販の水切りネットの口ゴム
６  市販の水切りネットの本体
【図１】
0003177358.tif 000003
0003177358.tif 000004
【手続補正書】
【提出日】平成24年6月5日(2012.6.5)
【手続補正１】
【補正対象書類名】図面
【補正対象項目名】図２
【補正方法】変更
【補正の内容】
【図２】
0003177358.tif 000005
【手続補正２】
【補正対象書類名】図面
【補正対象項目名】図３
【補正方法】変更
【補正の内容】
【図３】
0003177358.tif 000006
(57)【要約】      （修正有）【課題】大小の多量にある帽子を、より少ないスペースに形を崩さず収納し帽子の掛け外しが楽に出来る防止掛けを提供する。【解決手段】線材で作られた帽子受け１の支持部先端に貫通部２を設け円筒形支柱４を貫通させ支持部下方を広げ順次帽子を被せて収納出来る様にする。さらに帽受け１が傾く事によりに円筒形支柱４に力が掛かり自由な位置で止まる様にする。【選択図】図１
0003177356.tif 000002
【実用新案登録請求の範囲】
【請求項１】
帽子受けに円筒形支柱を通して上下に重ねて収納する帽子掛けにおいて、多量の帽子を掛けても形を崩さず収納出来る様に帽子受けの下部を広げ順次被せる様にした帽子掛け。
【請求項２】
楽に掛け外しが出来る様に帽子受けの間隔を広げ任意の位置に調整出来る様にした請求項１の帽子掛け。
【請求項３】
帽子受けを円筒形支柱の周りに左右又は数列に振り分けて使用する事によりさらに数多く収納することが出来るようにした請求項１の帽子掛け。
【考案の詳細な説明】
【技術分野】
【０００１】  本考案は帽子愛好家の多量の帽子を掛けても形を崩さず場所を取らず楽に収納出来る帽子掛けに関する。
【背景技術】
【０００２】  従来の帽子掛けはコート掛けを兼ねている物、木の枝の様な数本の突起物に掛けている物、縦に並べた帽子受けに挟む物がある。又帽子の収納においては型崩れしない帽子ハンガーに被せて掛ける物、帽子を積み重ね又は箱に入れてクローゼットに収納している物がある．
【特許文献】
【０００３】
【特許文献１】  特開９−２０１２６８
【特許文献２】  実用新案出願２００５−１４８１
【考案の概要】
【考案が解決しようとする課題】
【０００４】  しかしながら個々に平面的に掛けると場所を取り、積み重ねると間の物が取り難い。また上下に重ねて掛けるものは形が崩れやすく掛ける位置が固定しているため帽子の形状や大きさに合わせて位置を調整出来ないという欠点があった。
【考案を解決するための手段】
【０００５】  本考案は線材による帽子受けとそれを貫通させる伸縮性の円筒形支柱から構成されている。帽子受けが傾き貫通部分が滑り止めになり、下部を広げた２本の支持部を持つ帽子受けを順次被せて帽子を重ねることで、上記課題を解決する。
【考案の効果】
【０００６】  （１）下部を広げた帽子受けを上下に移動させることで型を崩さず帽子を掛けられ場所を取らず数多く収納出来る。
（２）帽子受けが上下して自由な位置に止まるので楽に帽子の掛け外しが出来、帽子の形状や大小にあわせて好みの位置に調整できる。
【図面の簡単な説明】
【０００８】
【図１】帽子と帽子掛けの斜視図である。
【図２】帽子受けの正面図である。
【図３】帽子受けの側面図である。
【図４】帽子受けの平面図である。
【考案を実施するための形態】
【０００９】  本考案の帽子掛けは図１示されるように帽子受け１は線材で形成し下部を広げた２本の支持部と支柱貫通部２を有す。、円筒型支柱４は直径１５ｍｍ〜２５ｍｍ、全長１５００ｍｍ〜２０００ｍｍの間で伸縮する金属パイプにビニール樹脂をコーテイングした物であり上部に支柱固定部５を設け下部にゴム等の滑り止め６を付け鴨居や箪笥等に固定する物である。帽子受けの貫通部分に円筒形支柱を通し帽子受けを上下させ帽子を順次被せて収納する。
【実施例】
【００１０】  上記形態の帽子掛けは帽子受けを左右に振り分けて使用する事によりさらに多量に掛けることも出来る。
【符号の説明】
【００１１】１  線材により形成した帽子受け
２  帽子受けの支柱を貫通させる部分
３  帽子
４  伸縮する円筒形支柱
５  円筒形支柱上部取り付け部分
６  円筒形支柱下部滑り止め部分
【図１】
0003177356.tif 000003
【図２】
0003177356.tif 000004
【図３】
0003177356.tif 000005
【図４】
0003177356.tif 000006
(57)【要約】      （修正有）【課題】ネクタイ着用で食事をする際、飲食物の飛散によりネクタイが汚れるのを防ぐネクタイ保護カバーを提供する。【解決手段】ネクタイが挿通可能な開口２または切り込み２を備えた筒の様な形状で、内側にネクタイを収容する。【選択図】図１
0003177355.tif 000002
【実用新案登録請求の範囲】
【請求項１】
ネクタイが挿通可能な開口２または切り込み２を備えた筒の様な形状で、内側にネクタイを収容することを特徴とするネクタイ保護カバー。
【考案の詳細な説明】
【技術分野】
【０００１】  本考案は、ネクタイを汚れから保護するカバーの構造に関する。
【背景技術】
【０００２】  ネクタイ着用で食事をする際、飲食物の飛散によりネクタイが汚れてしまう事がある。ナプキンを付けてまでの食事だと動作を妨げたりする。
【先行技術文献】
【特許文献】
【０００３】
【特許文献１】特許公開２００２−３５５１６３
【考案の概要】
【考案が解決しようとする課題】
【０００４】  ネクタイ着用で食事をする際、飲食物の飛散により汚れてしまう事がある。ネクタイは特に汚れが目立つため、食事後の仕事などに支障をきたす事がある。
【課題を解決するための手段】
【０００５】  ネクタイが挿通可能な開口２または切り込み２を備えた筒の様な形状で、内側にネクタイを収容することを特徴とするネクタイ保護カバー。ネクタイ挿通後、粘着面１による接着固定を特徴とするネクタイ保護カバー。
【考案の効果】
【０００６】上述の様に、本考案の食事汚れを防ぐネクタイ保護カバーは、ネクタイ着用で食事をする際、飲食物の飛散によりネクタイが汚れてしまう事を防ぐ事が出来る。
【図面の簡単な説明】
【０００７】
【図１】食事汚れを防ぐネクタイ保護カバーの全体斜視図
【図２】食事汚れを防ぐネクタイ保護カバーの使用図
【図３】食事汚れを防ぐネクタイ保護カバーの接着固定方法図
【考案を実施するための形態】
【０００８】（１）４にポリプロピレンやポリエチレンやポリ塩化ビニルなどの樹脂シートを使用すれば、防水性のある保護カバーが製造可能。
（２）４に透明度の高い樹脂シートを使用すれば、ネクタイが透けて見える保護カバーが製造可能。
（３）４に着色されたシートを使用すれば、色のバリエーションに対応出来る。
（４）４に紙などの繊維シートを使用すれば、情報を印刷したり鉛筆で書き込める保護カバーが製造可能。
（４）４に布などの繊維シートを使用すれば、洗濯できる保護カバーが製造可能。
（５）４に樹脂シートと繊維シートを貼り合わせるなど、異なる材質を貼り合わせれば、液体汚れが垂れず浸み込まない保護カバーが製造可能。
（６）保護カバーの幅５や長さ６は、ネクタイの大きさや形状に応じて適宜サイズで製造する。
【符号の説明】
【００１１】１  粘着による接着固定部
２  ネクタイが挿通可能な開口または切り込み
３  ネクタイ
４  保護カバー
５  保護カバーの幅
６  保護カバーの長さ
【図１】
0003177355.tif 000003
【図２】
0003177355.tif 000004
【図３】
0003177355.tif 000005
(57)【要約】      （修正有）【課題】撹拌した物を別の容器に取り出さずに作業ができる攪拌機を提供する。【解決手段】撹拌容器２の上部に着脱できる攪拌羽根と一体の駆動部１を取り付ける。【選択図】図１
0003177698.tif 000002
【実用新案登録請求の範囲】
【請求項１】
撹拌容器の上部に着脱できる撹拌羽根と一体の駆動部を取り付けた撹拌機（ミキサー）
【考案の詳細な説明】
【考案の詳細な説明】
【産業上の利用分野】
【０００１】通常、撹拌した物を撹拌容器から取り出て次の作業をしていた。
本考案は撹拌物を別の容器に取り出す必要がなく、作業時間が短縮できる。
【背景技術】
【０００２】撹拌した物は一度別の容器に取り出して作業をしている。
【考案が解決しようとする課題点】
【０００３】撹拌した物を別の容器に取り出さずに作業ができるようにすること。
【課題を解決するための手段】
【０００４】撹拌羽根と一体になった駆動部を着脱できるようにして課題を解決した。
【作用】
【０００５】撹拌羽根と一体になった駆動部を固定金具を解除すれば容易に駆動部を外せる。
【考案の効果】
【０００６】撹拌した物を別の容器に取り出す作業が省ける。
【図面の簡単な説明】
【図１】俯瞰図
【符号の説明】１は撹拌羽根と一体の駆動部
２は撹拌容器
３は固定ピン
４は固定金具
【図１】
0003177698.tif 000003
(57)【要約】      （修正有）【課題】簡単な操作でクツが脱ぎ易い楽々クツぬぎ補助装置を提供する。【解決方法】支柱２と土台１でＬ字状をつくり、支柱２にＵ字状の板３とクツベラ４を取りつける。クツベラ４はゴム、又は伸縮する材質やバネで上下する。クツをはいた足を後ろ向きにＵ字状の板３とクツベラ４にあてて、土台１に置く。クツベラ４を手で下に押して、足の踵とクツの後部の隙間に入れて、クツ底にできるだけとどくようにする。踵をあげるとクツが容易に脱げるための補助装置。【選択図】図１
0003177699.tif 000002
【実用新案登録請求の範囲】
【請求項１】
うしろ向きに靴をはいた足を置く土台と脚のうしろのふくらはぎをあてる支柱とでＬ字の形を構成して、その支柱には、たてにＵ字状の板とゴム、又はバネにより上・下する長いクツベラを取り付け、一体化させて、
（１）その支柱はぐらつかない、どっしりとした重量感のある形状と材質にして、
（２）クツベラはゴム、又はバネにより、上・下、垂直に動くことができるようにし、長さは立ったままで手で下へ押すことができる長さの寸法にし、
（３）土台と支柱の接合部分の支柱の内側の下部には斜めの切り込み、又はアール状の切込みを入れて、いろんなクツの後部の長さと大きさに対応して、クツの位置を自由に調整して置けるようにする、
（４）支柱に取り付けるＵ字の板の下部は、クツの後部をひっかけてクツをぬぐための補助装置にもなる。
クツベラを手で押すことにより、ほとんどのクツがぬげるが、補助としてＵ字状の板を下部に配置しておくことにより、クツベラが故障したり、手が動かせなくなった場合の予備として使用する、
以上からなる楽々クツぬぎ補助装置。
【考案の詳細な説明】
【技術分野】
【０００１】クツをぬぐ時のための補助装置に関するものである。
【背景技術】
【０００２】クツをぬぐ時のための補助装置はあまり存在しない。【０００３】一般的なクツベラで先端を凹字状又はＵ字状にしたクツベラの棒。長さは長、中、短とある。棒の端を持ち、先端をクツの後方と足の踵の間に入れてクツベラを上より押してクツをぬぐ。
【考案の概要】
【０００４】クツをはく時の補助装置はいろいろな種類のクツベラなどが多数あるが、クツをぬぐ時のものはあまりない。本考案は一般の人にだけでなく、特に高齢者、身体障害者、足の不自由な人々にとって、手で本考案のクツベラを上から押すだけの簡単な操作でクツが脱ぎ易いという楽々クツぬぎ補助装置である。
【考案が解決しようとする課題】
【０００５】高齢者、身体障害者、足の不自由な人はクツをぬぐ時は手を使用してクツを引っぱるという面倒な作業がいる場合がある。また、自分でできない時は他の人に手伝ってもらわねばならない。更に、操作が簡単であるかという問題がある。【０００６】玄関や勝手口などの狭い空間にクツが散乱し、引っくり返って見苦しい状態の場合が多い。
【課題を解決するための手段】
【０００７】支柱と土台でＬ字状をつくり、支柱にＵ字状の板とクツベラを取りつける。クツベラはゴム、又は伸縮する材質やバネで上下する。クツをはいた足を後ろ向きにＵ字状の板とクツベラにあてて、土台に置く。クツベラを手で下に押して、足の踵とクツの後部の隙間に入れて、クツ底にできるだけとどくようにする。踵をあげるとクツが容易に脱げるための補助装置。
【考案の効果】
【０００８】考案の効果は次のとおりである。
▲１▼  高齢者、身体障害者、足の不自由な人ばかりでなく、一般の人々にとっても、クツを脱ぐとき、片手で本考案のクツベラを押して踵を上げるだけでクツが容易にぬげる。
▲２▼  誰か他人に手助けをしてもらわねばならないことが減少する。
▲３▼  操作が簡単でスペースもあまり取らない。
▲４▼  玄関、勝手口などの空間にクツが引っくり返って煩雑に置かれなくなる。
出かける時にクツが前向きになっており、見た目にも美しい。
【考案を実施するための最良の形態】
【０００９】入口より入ってきて、クツをはいた足を後向きに本考案の支柱の前にあるＵ字状の板、及びクツベラの前にあてて置く。土台を玄関の方向に支柱を上がり框の方におく、本考案を建物の出入り口である玄関や勝手口などの上がり框の前に置く。
また、外食産業、旅館などの座敷のあるところや、病院、老人ホーム、アパート、介護施設、ホテル、お寺、学校、職場など人の集まるところで、クツからスリッパにはきかえるところに置く。
【図面の簡単な説明】
【００１０】
【図１】全体図
【図２】正面図、裏面図
【図３】平面図
【図４】側面図
【図５】クツベラがクツに入った図
【図６】クツベラを上・下さすゴム又はバネ図
【符号の説明】
【００１１】                                                                単位：ｍｍ
▲１▼  土台板（長４００×巾１４０×厚２０）
▲２▼  支柱  （  ４００×  ５０〜１００×８０〜１００）
▲３▼  Ｕ字状板  ３００×８０
▲４▼  クツベラ            ▲５▼  穴
▲６▼  バネ、又はゴムなどの伸縮する材質
▲７▼  ビス
▲８▼  Ｕ字状の板の下部、クツがあたるところ、布、皮、
▲９▼  クツベラを上・下させるための溝
【図１】
0003177699.tif 000003
【図２】
0003177699.tif 000004
【図３】
0003177699.tif 000005
【図４】
0003177699.tif 000006
【図５】
0003177699.tif 000007
【図６】
0003177699.tif 000008
(57)【要約】      （修正有）【課題】飲料用のペットボトル等のボトルのキャップを利用して、該キャップに押え金と張り付け用粘着物を付加することで、手近な所へ簡単に付け剥がしができ、素早く物をはさめるようにするキャップ用押え金具を提供する。【解決手段】金具を取り付けられる様にキャップＣのふちに沿って噛むように折り曲げガイド４を設け、取り外しが簡単に出来るように加工、キャップＣの高さのあいだを利用し押さえ圧を付け底部には粘着物２を取り付けられるように、金具３を底板と固定し粘着物を貼り付け粘着剤は再利用が可能な物を取付た。材質的には、薄く、曲げにも強く、弾力性を保持できる金属が望ましいが、他の非金属でも押さる圧力が保持できればこだわらない。【選択図】図２
0003177668.tif 000002
【実用新案登録請求の範囲】
【請求項１】
ボトルキャップに金属で、物を押さえ・はさめるように押さえ加工し、取り外し交換可能にした物で、また、取付面にはくり返し接着出来る部材を使用し、平らな面であればどこへでも取り付けられるようにしたもの。
【考案の詳細な説明】
【技術分野】
【００１】  本考案は、ボトルのキャップに簡単に取り付けられ、付け替えを何度でも交換可能にした構造
【背景分野】
【００２】  多様なデザインがあり、飲み終えるとボトルと一緒に捨てられてしまっていた。
【考案が解決しようとする課題】
【００３】  多様でカラフルなデザインが多く捨てるのが惜しい物が多くあったが利用されていない、また、クリップとかバインダー等の様な物はあったが、手短な所へ簡単に付け剥がしでき、素早く物をはさめるような物が無く、不便に感じてた。
【課題を解決するための手段】
【００４】  表面には押さえ金具を付け（図２）、裏面にくり返し貼れる粘着物（図１）を付けた物を考案、これにより好きなキャップに交換でき平らな面であればくり返し付けられる。
【考案の効果】
【００５】同じサイズのキャップであれば気に入った物との交換が簡単にでき、平らな面であればほとんどの物に付けられ、使い勝手の良い所へい何度でも付けはがしが簡単にした為、利用頻度が高く楽しさも増した。
【考案を実施するための最良の形態】
【００６】  金具を取り付けられる様にキャップのふちに沿って噛むように折り曲げガイドを設け、取り外しが簡単に出来るように加工、キャップの高さの間いだを利用し押さえ圧を付け底部には粘着物を取り付けられるように、金具を底板と固定し粘着物を貼り付け粘着剤は再利用が可能な物を取付た。
材質的には、薄く、曲げにも強く、弾力性を保持できる金属が望ましいが、他の非金属でも押さる圧力が保持できればこだわらない。
【図面の簡単な説明】
【００７】
【図１】本考案のキャップ用押さえ金具を取付た状態を裏面から見た図である
【図２】本考案のＸ−Ｘ｀断面図である
【符号の説明】
【００８】１  支持材
２  粘着材
３  押さえ金具
４  ガイド部
Ｃ  キャップ
【図１】
0003177668.tif 000003
【図２】
0003177668.tif 000004
【手続補正書】
【提出日】平成24年2月14日(2012.2.14)
【手続補正１】
【補正対象書類名】実用新案登録請求の範囲
【補正対象項目名】全文
【補正方法】変更
【補正の内容】
【実用新案登録請求の範囲】
【請求項１】
ボトルキャップの大きさに合わせた金属線を利用し、貼付面側は、キャップのふちと噛み合うように位置を決めて、噛み合わせ部分の長さを直線的に折り曲げ合わせ加工し、押さえ面側は、押さえる圧力をキャップの高さと、挟み込む部分の間を考慮した高さで折り曲げ、曲げた角度により押さえ圧力を調整できる、全体の形成は直線的に折り曲げている、曲げ部分の位置を変えることにより、サイズの違ったキャップ（類似した容器でも可能）に対応できるようにした。金属線とのり面架台との取付は接着剤で固定し、のり面架台の材質は平らで、曲がりにくい（プラスチック・厚紙・軽金属など）軽い材質を利用。貼り付け面には市販されている、くり返し貼り直しが出来る粘着部材を使用する事で、平らな面であれば簡単に貼付・剥がしをできるようにした、以上のことを特徴とするキャップ用押さえ金具。
【手続補正書】
【提出日】平成24年5月22日(2012.5.22)
【手続補正１】
【補正対象書類名】実用新案登録請求の範囲
【補正対象項目名】全文
【補正方法】変更
【補正の内容】
【実用新案登録請求の範囲】
【請求項１】
直径１ｍｍ程度の金属線を二つ折りし、直線的にコの字に折り曲げ、コの字の底部はキャップのふちに掛かるように凸に折り曲げ外れにくくした、二つ折りした部分をＶの字に開く事で、キャツプに組み付けた時のぐらつきを押さえた事と同時に、凸側底部へのノリ面架台取付に安定を図った、以上の形を特徴とするキャップ用押さえ金具。